(57)【要約】【課題】極めて簡単な操作で底部に設けられた台座の高さを変えることができる水切り容器を提供する。【解決手段】本発明に係る水切り容器１は、収容部１０の底部１０ａに、外筒部１４および内筒部１６を有する二重円筒状の台座１２を備え、外筒部１４および内筒部１６のいずれかが収容部１０に固定されており、外筒部１４および内筒部１６の一方に、周面において上方および下方に設けられた水平方向溝である第１溝２０および第２溝２２と、第１溝２０の一端部２０ａと第２溝２２の一端部２２ａとを結ぶ第３溝２４と、が連続する溝状に形成された係合溝１８が設けられ、外筒部１４および内筒部１６の他方に、周面から径方向に突出して係合溝１８に係合可能で溝内を移動可能な係合突起２６が設けられ、係合突起２６が鉛直方向上方の第１溝２０内に位置する場合と第２溝２２内に位置する場合とで、台座１２の高さが二通りに切換可能となる。【選択図】図１
2019000620.tif 000002
【特許請求の範囲】
【請求項１】
複数の孔を有する部材もしくはメッシュ状の部材を用いて形成された収容部に食品を収容して水切りを行う水切り容器において、
前記収容部の底部には、外筒部および内筒部を有する二重円筒状の台座を備え、前記外筒部および前記内筒部のいずれかが前記収容部に固定されており、
前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、
前記外筒部および前記内筒部の他方に、周面から径方向に突出して前記係合溝に係合可能で溝内を移動可能な係合突起が設けられ、
前記係合突起が鉛直方向上方の前記第１溝内に位置する場合と前記第２溝内に位置する場合とで、前記外筒部と前記内筒部との重なり寸法が変化することにより、前記台座の高さが二通りに切換可能となること
を特徴とする水切り容器。
【請求項２】
前記外筒部および前記内筒部は、複数の孔を有する部材もしくはメッシュ状の部材を用いて形成されていること
を特徴とする請求項１記載の水切り容器。
【請求項３】
前記外筒部および前記内筒部のうち前記収容部に固定されていない方の下端部に、径方向外方に向かって突設された鍔状部を有し、
前記鍔状部は、外縁部に使用者の指を掛ける複数の凹部が径方向内方に向かって窪むように設けられていること
を特徴とする請求項１または請求項２記載の水切り容器。
【請求項４】
前記第１溝および前記第２溝はいずれも、他端部から少なくとも前記係合突起の半径寸法以上の所定距離離れた位置の一方の縁部において、他方の縁部に向かって前記係合突起の溝内通過を許容する寸法で突出する突起状のストッパを有すること
を特徴とする請求項１〜３いずれか一項に記載の水切り容器。
【請求項５】
前記係合溝および対応する前記係合突起は、周方向に等間隔で複数個所設けられていること
を特徴とする請求項１〜４いずれか一項に記載の水切り容器。
【請求項６】
前記複数個所は、３個所以上であること
を特徴とする請求項５記載の水切り容器。
【請求項７】
前記係合溝は、前記第３溝が鉛直方向溝に形成されることにより、全体としてコ字状に形成されていること
を特徴とする請求項１〜６いずれか一項に記載の水切り容器。
【請求項８】
前記係合溝は、前記第３溝が鉛直方向溝もしくは鉛直方向から所定角度傾斜した傾斜方向溝に形成され、且つ、前記第１溝が前記第３溝の上端部から水平方向の所定方向に延びる溝に形成されると共に、前記第２溝が前記第３溝の下端部から水平方向の前記所定方向と逆方向に延びる溝に形成されていること
を特徴とする請求項１〜６いずれか一項に記載の水切り容器。
【請求項９】
前記所定角度は、０°以上６０°以下であること
を特徴とする請求項８記載の水切り容器。
【請求項１０】
前記第１溝および前記第２溝のうち、前記内筒部が進入・進出する側の前記外筒部の開口端に近い側の一方が、遠い側の他方よりも、水平方向の長さが長く形成されていること
を特徴とする請求項１〜９いずれか一項に記載の水切り容器。
【請求項１１】
シンク等の排水場所に置いて、食品の水切り容器を載置させる水切り容器用台座であって、
複数の孔を有する部材もしくはメッシュ状の部材を用いて形成された二重円筒状の外筒部および内筒部を有し、
前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、
前記外筒部および前記内筒部の他方に、周面から径方向に突出して前記係合溝に係合可能で溝内を移動可能な係合突起が設けられ、
前記係合突起が鉛直方向上方の前記第１溝内に位置する場合と前記第２溝内に位置する場合とで、前記外筒部と前記内筒部との重なり寸法が変化することにより、全体の高さが二通りに切換可能となること
を特徴とする水切り容器用台座。
【請求項１２】
前記第１溝および前記第２溝はいずれも、他端部から少なくとも前記係合突起の半径寸法以上の所定距離離れた位置の一方の縁部において、他方の縁部に向かって前記係合突起の溝内通過を許容する寸法で突出する突起状のストッパを有すること
を特徴とする請求項１１記載の水切り容器用台座。
【請求項１３】
前記係合溝および対応する前記係合突起は、周方向に等間隔で複数個所設けられていること
を特徴とする請求項１１または請求項１２記載の水切り容器用台座。
【請求項１４】
前記係合溝は、前記第３溝が鉛直方向溝に形成されることにより、全体としてコ字状に形成されていること
を特徴とする請求項１１〜１３いずれか一項に記載の水切り容器用台座。
【請求項１５】
前記係合溝は、前記第３溝が鉛直方向溝もしくは鉛直方向から所定角度傾斜した傾斜方向溝に形成され、且つ、前記第１溝が前記第３溝の上端部から水平方向の所定方向に延びる溝に形成されると共に、前記第２溝が前記第３溝の下端部から水平方向の前記所定方向と逆方向に延びる溝に形成されていること
を特徴とする請求項１１〜１３いずれか一項に記載の水切り容器用台座。
【請求項１６】
前記第１溝および前記第２溝のうち、前記内筒部が進入・進出する側の前記外筒部の開口端に近い側の一方が、遠い側の他方よりも、水平方向の長さが長く形成されていること
を特徴とする請求項１１〜１５いずれか一項に記載の水切り容器用台座。
【発明の詳細な説明】
【技術分野】
【０００１】
本発明は水切り容器および水切り容器用台座に関し、さらに詳細には、複数の孔を有する部材もしくはメッシュ状の部材を用いて形成された収容部に食品を収容して水切りを行う水切り容器、および、シンク等の排水場所に置いて、食品の水切り容器を載置させる水切り容器用台座に関する。
【背景技術】
【０００２】
従来より、ざる、コランダー等のように、複数の孔を有する部材もしくはメッシュ状の部材を用いて形成された収容部に食品を収容して水切りを行う水切り容器が知られている。
【０００３】
例えば、特許文献１：実公平３−４９６４０号公報には、脚付きのざるが開示されている。このように、ざるの底部に脚を付ける構成によって、テーブル等に安定性良く置くことができる効果が得られる。
【先行技術文献】
【特許文献】
【０００４】
【特許文献１】実公平３−４９６４０号公報
【特許文献２】実用新案登録第３１０７２２４号公報
【発明の概要】
【発明が解決しようとする課題】
【０００５】
しかしながら、本願発明者は、特許文献１に例示されるような水切り容器をシンク内に置いて食品の水切りを行う際に、水の量が多い場合や水はけが悪い場合にはシンク内に水が貯留した状態となり、容器の下部および収容された食品が貯留した水に浸かってしまうため、衛生上好ましくないとの課題認識を持つに至った。
【０００６】
そこで、本願発明者が鋭意研究を行った結果、底部に設ける台座を高くする構成によって、上記の問題を解決する方法を想起するに至った。しかし、単に台座を高くするだけでは、当該水切り容器を収納する際に、全高が大きくなり、収納が不可能あるいは困難になるという相反する問題が生じ得る。
【０００７】
そこで、さらなる研究の結果、台座の高さを可変式とする構成によって、上記の相反する問題を解決する方法を想起するに至った。ここで、特許文献２：実用新案登録第３１０７２２４号公報には、折り曲げ可能な脚を備える水切り容器が開示されている。しかし、当該特許文献２に例示される水切り容器は、本願とは異なる課題の解決を目的とするものであって、本願における課題解決のための示唆を与えるものではない。また、構成面においても、複数の脚をそれぞれ折り曲げる構造であるため、操作に手間と時間がかかってしまう点で不便である。
【課題を解決するための手段】
【０００８】
本発明は、上記課題に鑑みてなされたものであり、極めて簡単な操作で底部に設けられた台座の高さを変えることができ、特にシンク内での水切り時にシンク内に貯留した水に容器内の食品が浸かってしまうことを防止して衛生的に使用できると共に、容器棚への収納時にスペースを取らない水切り容器を提供することを目的とする。
【０００９】
また、本発明は、極めて簡単な操作で高さを変えることができ、特にシンク内での水切り時にシンク内に貯留した水に水切り容器内の食品が浸かってしまうことを防止して衛生的に使用できると共に、容器棚への収納時にスペースを取らない水切り容器用台座を提供することを目的とする。
【００１０】
一実施形態として、以下に開示するような解決手段により、前記課題を解決する。
【００１１】
開示の水切り容器は、複数の孔を有する部材もしくはメッシュ状の部材を用いて形成された収容部に食品を収容して水切りを行う水切り容器において、前記収容部の底部には、外筒部および内筒部を有する二重円筒状の台座を備え、前記外筒部および前記内筒部のいずれかが前記収容部に固定されており、前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、前記外筒部および前記内筒部の他方に、周面から径方向に突出して前記係合溝に係合可能で溝内を移動可能な係合突起が設けられ、前記係合突起が鉛直方向上方の前記第１溝内に位置する場合と前記第２溝内に位置する場合とで、前記外筒部と前記内筒部との重なり寸法が変化することにより、前記台座の高さが二通りに切換可能となることを特徴とする。
【００１２】
また、開示の水切り容器用台座は、シンク等の排水場所に置いて、食品の水切り容器を載置させる水切り容器用台座であって、複数の孔を有する部材もしくはメッシュ状の部材を用いて形成された二重円筒状の外筒部および内筒部を有し、前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、前記外筒部および前記内筒部の他方に、周面から径方向に突出して前記係合溝に係合可能で溝内を移動可能な係合突起が設けられ、前記係合突起が鉛直方向上方の前記第１溝内に位置する場合と前記第２溝内に位置する場合とで、前記外筒部と前記内筒部との重なり寸法が変化することにより、全体の高さが二通りに切換可能となることを特徴とする。
【発明の効果】
【００１３】
本発明の水切り容器によれば、極めて簡単な操作で底部に設けられた台座の高さを変えることが可能な水切り容器を実現することができる。したがって、例えばシンク内で水切りを行う際に、台座の高さを高くしておくことによって、シンク内に貯留した水に容器内の食品が浸かってしまうことを防止して衛生的に使用することが可能となる。また、容器棚へ収納する際に、台座の高さを低くしておくことによって、省スペースで収納することが可能となる。
【００１４】
また、本発明の水切り容器用台座によれば、極めて簡単な操作で高さを変えることが可能となる。したがって、例えばシンク内に置き、水切り容器を載置させて水切りを行う際に、高さを高くしておくことによって、シンク内に貯留した水に水切り容器内の食品が浸かってしまうことを防止して衛生的に使用することが可能となる。また、容器棚へ収納する際に、高さを低くしておくことによって、省スペースで収納することが可能となる。
【図面の簡単な説明】
【００１５】
【図１】本発明の第一の実施形態に係る水切り容器の例を示す概略図（斜視図）である。
【図２】図１に示す水切り容器の構成を説明するための概略図（斜視図）である。
【図３】図１に示す水切り容器の外筒部の例を示す概略図（斜視図）である。
【図４】図１に示す水切り容器の内筒部の例を示す概略図（斜視図）である。
【図５】図１に示す水切り容器のV部拡大図である。
【図６】本発明の第二の実施形態に係る水切り容器の内筒部の例を示す概略図（斜視図）である。
【図７】本発明の第三の実施形態に係る水切り容器の外筒部の例を示す概略図（斜視図）である。
【図８】本発明の第四の実施形態に係る水切り容器の例を示す概略図（斜視図）である。
【図９】図８に示す水切り容器の構成を説明するための概略図（斜視図）である。
【図１０】図８に示す水切り容器の外筒部の例を示す概略図（斜視図）である。
【図１１】図８に示す水切り容器の内筒部の例を示す概略図（斜視図）である。
【図１２】図８に示す水切り容器のXII部拡大図である。
【図１３】本発明の第五の実施形態に係る水切り容器の外筒部の例を示す概略図（斜視図）である。
【図１４】本発明の実施形態に係る水切り容器用台座の例を示す概略図（斜視図）である。
【図１５】図１４に示す水切り容器用台座の構成を説明するための概略図（斜視図）である。
【発明を実施するための形態】
【００１６】
［水切り容器］
（第一の実施形態）
以下、図面を参照して、本発明の第一の実施形態に係る水切り容器について詳しく説明する。図１は、本実施形態に係る水切り容器１の例を示す斜視図（概略図）である。なお、実施形態を説明するための全図において、同一の機能を有する部材には同一の符号を付し、その繰り返しの説明は省略する場合がある。
【００１７】
この水切り容器１は、複数の孔を有する部材もしくはメッシュ状の部材を用いて形成された収容部１０に食品を収容して水切りを行う調理用器具である（本実施形態においては、メッシュ状として図示している）。もちろん、食品以外の物に対する水切りを行うことも可能である。なお、一例として、構成部材にはステンレス合金等の金属材料を用いているが、樹脂材料を用いてもよい。
【００１８】
図１に示すように、収容部１０は外観が半球状である椀型に形成されており、内部に食品の収容が可能な構造となっている。ただし、この形状に限定されるものではなく、外観が直方体状等であってもよい。また、収容部１０の底部１０ａには、テーブル上やシンク内等に対して安定的に載置させる台座１２が設けられている。
【００１９】
本実施形態に係る台座１２は、外筒部１４および内筒部１６を有する二重円筒状に形成されている。一例として、外筒部１４が収容部１０の底部１０ａに固定されており、内筒部１６が外筒部１４に内嵌されると共に、高さ方向（使用状態における鉛直方向）に移動可能に支持されている。また、内筒部１６の下端部１６ａが外筒部１４の下端部１４ａに対して所定量（使用者が把持できる程度）突出した状態で配設されている。以下、外筒部１４および内筒部１６の構成について詳しく説明する。
【００２０】
先ず、外筒部１４は、図３および図５（図１のV部拡大図）に示すように、周面（周壁部）において鉛直方向の上下に並設された第１溝２０および第２溝２２と、第１溝２０の一端部２０ａと第２溝２２の一端部２２ａとを結ぶ第３溝２４と、が連続する溝状に形成された係合溝１８を備えている。一例として、第１溝２０および第２溝２２は水平方向溝（長手方向が水平方向に延びる溝）に形成され、第３溝２４は鉛直方向溝（長手方向が鉛直方向に延びる溝）に形成されることによって、それらが連続する係合溝１８は全体として「コ」字状に形成されている。なお、係合溝１８は後述する係合突起２６が係合できれば足りるため、上記「溝状」とは、周壁部を径方向に貫通する孔状、もしくは、貫通しない凹状のいずれも含む構成として定義する（本実施形態においては、孔状として図示している）。
【００２１】
次に、内筒部１６は、図４に示すように、周面（周壁部）から径方向に突出して外筒部１４の係合溝１８に係合可能であると共に当該係合溝１８内を移動可能な係合突起２６を備えている。なお、係合突起２６は、周面（周壁部）と一体に形成してもよく、もしくは、別体に形成して当該周面（周壁部）にボルト締結、接着、溶着等により固定してもよい。
【００２２】
上記の構成によれば、係合突起２６が鉛直方向上方の第１溝２０内に位置する場合と第２溝２２内に位置する場合とで、外筒部１４と内筒部１６との重なり寸法が変化することにより、台座１２の高さが二通りに切換可能となる構成が実現できる。より詳しくは、係合突起２６が第１溝２０内に位置する場合には、外筒部１４と内筒部１６との重なり寸法が大きい状態となり、台座１２の高さを低く（使用状態における鉛直方向の寸法を小さく）することができる（図１に示す状態）。一方、係合突起２６が第２溝２２内に位置する場合には、外筒部１４と内筒部１６との重なり寸法が小さい状態となり、台座１２の高さを高く（使用状態における鉛直方向の寸法を大きく）することができる（図２に示す状態）。
【００２３】
したがって、例えば、シンク内に水切り容器１を載置して水切りを行う際には、台座１２の高さが高い状態に切換えておくことによって、シンク内に水が貯留してしまった場合であっても、収容部１０内に収容した食品がその水に浸かってしまうことの防止が可能となる。一方、使用後に水切り容器１を容器棚へ収納する際には、台座１２の高さが低い状態に切換えておくことによって、より小さな（狭い）スペースであっても、収納を行うことが可能となる。このように、前述した相反する課題の解決が可能となる。
【００２４】
ここで、本実施形態に特徴的な構成として、外筒部１４および内筒部１６はいずれも、収容部１０と同様に複数の孔を有する部材もしくはメッシュ状の部材を用いて形成されている（本実施形態においては、メッシュ状として図示している）。これによれば、水切り時に、収容部１０から台座１２（外筒部１４および内筒部１６）の内部へ流れ込む水が、外筒部１４および内筒部１６の周壁部によって堰き止められてその内部位置に局所的に貯留されてしまうことを防止でき、台座１２（外筒部１４および内筒部１６）の外部へ効率的に排出させることができる。
【００２５】
また、本実施形態に特徴的な構成として、係合溝１８および当該係合溝１８に対応する係合突起２６の組合せが、周方向に等間隔で（すなわち中心軸周りに所定角度の間隔で）複数個所設けられている（本実施形態においては、中心軸を挟んで対称位置の二個所）。これによれば、水切り時に、収容部１０に大きな重量が掛かった場合であっても、外筒部１４と内筒部１６とが相互に傾いてしまうことを防止でき、安定して支持することができる。なお、三個所以上設ける構成とすれば、より一層、安定した支持が可能となる（不図示）。
【００２６】
なお、台座１２の高さの切換を行う操作方法は次の通りである。例えば、図１に示す状態（台座１２の高さが低い状態）から図２に示す状態（台座１２の高さが高い状態）に切換を行う場合には、使用者が内筒部１６の下端部１６ａを把持して、係合突起２６が第１溝２０の他端部２０ｂから一端部２０ａの位置となるまで、内筒部１６を回動させる。次いで、係合突起２６が第１溝２０の一端部２０ａ（第３溝２４の上端部２４ａと一致）から第２溝２２の一端部２２ａ（第３溝２４の下端部２４ｂと一致）の位置となるまで、内筒部１６を下方へ移動させる。次いで、係合突起２６が第２溝２２の一端部２２ａから他端部２２ｂの位置となるまで、内筒部１６を回動させる。一方、図２に示す状態（台座１２の高さが高い状態）から図１に示す状態（台座１２の高さが低い状態）に切換を行う場合には、上記と逆の動作を行えばよい。
【００２７】
ここで、本実施形態に特徴的な構成として、第１溝２０および第２溝２２はいずれも、他端部２０ｂ、２２ｂから少なくとも係合突起２６の半径寸法以上の所定距離だけ一端部２０ａ、２２ａ側へ離れた位置の上縁部において、下縁部に向かって係合突起２６の溝内通過を許容する寸法で突出する突起状のストッパ３２を有している。これによれば、水切り容器１の使用中等において、係合突起２６が係合溝１８内を不用意に移動してしまうことを防止でき、所定の台座位置（高さ位置）を確実に保つことができる。すなわち、本実施形態においては、収容部１０に固定された外筒部１４の係合溝１８の上縁部が、内筒部１６の係合突起２６の上端部に当接することによって、収容部１０の荷重が支持される構造であるため、ストッパ３２が上記構成のように第１溝２０および第２溝２２における上縁部から下縁部に向かって突出する構成であることによって、係合突起２６の係合溝１８内の移動を確実に規制することができる。このように、ストッパ３２は、使用時（荷重支持時）に係合溝１８（第１溝２０および第２溝２２）における係合突起２６との当接側（荷重支持側）の縁部から非当接側の縁部に向けて突出する構成が好適である。したがって、例えば、内筒部１６を収容部１０に固定するような変形例の場合には、ストッパの突出方向を逆にすればよい（後述の第四の実施形態参照）。ただし、上記の構成に限定されるものではなく、係合溝１８（第１溝２０および第２溝２２）は、縁部に突起状のストッパを設けない直線状の構成としてもよい。
【００２８】
以上のように、本実施形態に係る水切り容器１によれば、極めて簡素な構造で且つ極めて簡単な操作によって、台座１２の高さを高低二通りに切換を行うことが可能となる。したがって、特許文献２に例示される構成のように脚部の折り曲げ操作に時間を要するといった問題が生じることなく、ワンタッチの連続動作により極めて短い時間で台座１２の高さ切換を行うことが可能となり、使用時の利便性を向上させることが可能となる。
【００２９】
（第二の実施形態）
続いて、本発明の第二の実施形態に係る水切り容器１について説明する。本実施形態に係る水切り容器１は、前述の第一の実施形態と基本的な構成は同様であるが、特に、内筒部１６の構成において相違点を有する。以下、当該相違点を中心に本実施形態について説明する。ここで、図６は本実施形態に係る水切り容器１の内筒部１６の概略図（斜視図）である。
【００３０】
本実施形態に係る内筒部１６は、図６に示すように、下端部１６ａに、径方向外方に向かって突設された鍔状部２８が設けられていると共に、当該鍔状部２８には、外縁部に使用者の指を掛ける複数の凹部３０が径方向内方に向かって窪むように設けられている。
【００３１】
この構成によれば、鍔状部２８に指を掛けることができるため、外筒部１４に対して内筒部１６を引き出す際および押し入れる際（係合突起２６を第３溝２４内で移動させる場合である）に内筒部１６の周面（周壁部）で指が滑ってしまうことが防止でき、当該動作を確実に行うことができる。さらに、鍔状部２８の凹部３０に指を掛けることができるため、外筒部１４に対して内筒部１６を回動させる際（係合突起２６を第１溝２０内および第２溝２２内で移動させる場合である）に内筒部１６の周面（周壁部）で指が滑ってしまうことが防止でき、当該動作を確実に行うことができる。
【００３２】
また、鍔状部２８が設けられることで設置面積が大きくなるため、水切り容器１を載置して使用する際に、傾倒を防止して安定させることができる。
【００３３】
（第三の実施形態）
続いて、本発明の第三の実施形態に係る水切り容器１について説明する。本実施形態に係る水切り容器１は、前述の第一の実施形態と基本的な構成は同様であるが、特に、外筒部１４の係合溝１８の構成において相違点を有する。以下、当該相違点を中心に本実施形態について説明する。ここで、図７は本実施形態に係る水切り容器１の外筒部１４の概略図（斜視図）である。
【００３４】
本実施形態に係る外筒部１４は、図７に示すように、周面（周壁部）において鉛直方向の上方および下方に設けられた第１溝２０および第２溝２２と、第１溝２０の一端部２０ａと第２溝２２の一端部２２ａとを結ぶ第３溝２４と、が連続する溝状に形成された係合溝１８が設けられている。一例として、第１溝２０および第２溝２２は水平方向溝（長手方向が水平方向に延びる溝）に形成され、第３溝２４は傾斜方向溝（長手方向が鉛直方向に対して所定角度で延びる溝）に形成されている。
【００３５】
この構成によれば、内筒部１６を一つの方向のみに回動させるだけで台座１２の高さの切換を行うことが可能となる。したがって、前述の第一の実施形態に係る構成と比較して、より一層、切換操作を簡易且つ短時間で行うことが可能となる。
【００３６】
（第四の実施形態）
続いて、本発明の第四の実施形態に係る水切り容器１について説明する。本実施形態に係る水切り容器１は、前述の第一の実施形態と基本的な構成は同様であるが、特に、収容部１０と台座１２とを固定する構成において相違点を有する。以下、当該相違点を中心に本実施形態について説明する。ここで、図８〜図１２は本実施形態に係る水切り容器１の構成を示す概略図であって、第一の実施形態における図１〜図５に対応した図である。
【００３７】
本実施形態に係る水切り容器１は、前述の第一の実施形態に係る水切り容器１のように外筒部１４を収容部１０に固定して、内筒部１６で外筒部１４および収容部１０を支持する構成に代えて、内筒部１６を収容部１０に固定して、外筒部１４で内筒部１６および収容部１０を支持する構成である。
【００３８】
ここで、第一の実施形態と同様に、係合溝１８および当該係合溝１８に対応する係合突起２６を、周方向に等間隔で（すなわち中心軸周りに所定角度の間隔で）複数個所設ける構成となっている。ただし、本実施形態においては、中心軸周りに所定角度の間隔で三個所設ける構成としている。これによれば、二個所設ける構成と比較して、より一層、安定した支持が可能となる。なお、四個所以上設ける構成としてもよい。
【００３９】
また、本実施形態に係る水切り容器１は、第一の実施形態に係る水切り容器１の構成とは逆に、外筒部１４で内筒部１６および収容部１０を支持する構成であることから、図１２（図８のXII部拡大図）に示すように、第１溝２０および第２溝２２におけるストッパ３２が、第一の実施形態とは逆に下縁部から上縁部に向かって突出する構成となっている。
【００４０】
以上の構成によれば、係合突起２６が第２溝２２内に位置する場合には、外筒部１４と内筒部１６との重なり寸法が大きい状態となり、水切り容器１の台座１２の高さ（軸方向高さ）を低く（使用状態における鉛直方向の寸法を小さく）することができる（図８に示す状態）。一方、係合突起２６が第１溝２０内に位置する場合には、外筒部１４と内筒部１６との重なり寸法が小さい状態となり、水切り容器１用の台座１２の高さ（軸方向高さ）を高く（使用状態における鉛直方向の寸法を大きく）することができる（図９に示す状態）。
【００４１】
（第五の実施形態）
続いて、本発明の第五の実施形態に係る水切り容器１について説明する。本実施形態に係る水切り容器１は、前述の第四の実施形態と基本的な構成は同様であるが、特に、外筒部１４の係合溝１８の構成において相違点を有する。以下、当該相違点を中心に本実施形態について説明する。ここで、図１３は本実施形態に係る水切り容器１の外筒部１４の概略図（斜視図）である。
【００４２】
本実施形態に係る外筒部１４は、図１３に示すように、係合溝１８に関して、第３溝２４が鉛直方向溝に形成され、且つ、第１溝２０が第３溝２４の上端部から水平方向の所定方向に延びる溝に形成されると共に、第２溝２２が第３溝２４の下端部から水平方向の前記所定方向と逆方向に延びる溝に形成されている。あるいは、変形例として、第３溝２４は、鉛直方向溝に代えて、鉛直方向から所定角度傾斜した傾斜方向溝に形成された構成としてもよい（不図示）。その場合、所定角度は、０°以上６０°以下であることが好適である。
【００４３】
この構成によれば、前述の第一の実施形態に係る構成と比較して、台座１２の高さの切換を行う際に内筒部１６の回動方向を逆転させる動作が生じないため、より一層、切換操作を簡易且つ短時間で行うことが可能となる。
【００４４】
さらに、本実施形態においては、第１溝２０および第２溝２２のうち、内筒部１６が進入・進出する側の外筒部１４の開口端（ここでは、上端部１４ｂ）に近い側の一方（ここでは、第１溝２０）が、遠い側の他方（ここでは、第２溝２２）よりも、水平方向の長さが長く形成されている。ここで、台座１２においては、高さを高くした状態で使用される際、第１溝２０および第２溝２２のうち、内筒部１６が進入・進出する側の外筒部１４の開口端（ここでは、上端部１４ｂ）に近い側の一方（ここでは、第１溝２０）に、収容部１０の荷重が付加される構造となっている。したがって、当該近い側の一方（ここでは、第１溝２０）の溝の長さを、相対的に長く形成しておくことで、内筒部１６と外筒部１４とが相互に僅かに回動しただけで、係合突起２６が第３溝２４へ移動して、収容部１０が急激に落下してしまうことを防止することができる。なお、この構成は他の実施形態に対しても適用できる。
【００４５】
［水切り容器用台座］
以下、図面を参照して、本発明の実施形態に係る水切り容器用台座について詳しく説明する。ここで、図１４、図１５は、本実施形態に係る水切り容器用台座２の構成を示す概略図である。
【００４６】
この水切り容器用台座２は、シンク等の排水場所に置いて使用される器具である。例えばシンク内に水切り容器用台座２を置いて、その上に市販の水切り容器（ざる、コランダー等）を載置させることができる。その状態において、水切り容器内に食品を収容し、水切りを行うことができる。もちろん、食品以外の物に対する水切りを行うことも可能である。なお、一例として、構成部材にはステンレス合金等の金属材料を用いているが、樹脂材料を用いてもよい。
【００４７】
本実施形態に係る水切り容器用台座２は、前述した各実施形態に係る水切り容器１において収容部１０が設けられていない状態の台座１２と同様の構成として説明することができる。
【００４８】
代表例として、本実施形態に係る水切り容器用台座２は、前述の第四の実施形態に係る水切り容器１の台座１２に対応しており、外筒部５４および内筒部５６を有する二重円筒状に形成され、相互に高さ方向（二重円筒状の軸線方向であって、使用状態における鉛直方向である）に移動可能に構成されている。なお、内筒部５６の一端部（例えば、図中の上端部）が外筒部５４の一端部（例えば、図中の上端部）に対して所定量（使用者が把持できる程度）突出した構成としてもよい。
【００４９】
ここで、外筒部５４は、周面（周壁部）において鉛直方向の上下に並設された第１溝６０および第２溝６２と、第１溝６０の一端部６０ａと第２溝６２の一端部６２ａとを結ぶ第３溝６４と、が連続する溝状に形成された係合溝５８を備えている。一例として、第１溝６０および第２溝６２は水平方向溝（長手方向が水平方向に延びる溝）に形成され、第３溝６４は鉛直方向溝（長手方向が鉛直方向に延びる溝）に形成されることによって、それらが連続する係合溝５８は全体として「コ」字状に形成されている。なお、係合溝５８は後述する係合突起６６が係合できれば足りるため、上記「溝状」とは、周壁部を径方向に貫通する孔状、もしくは、貫通しない凹状のいずれも含む構成として定義する（本実施形態においては、孔状として図示している）。
【００５０】
次に、内筒部５６は、周面（周壁部）から径方向に突出して外筒部５４の係合溝５８に係合可能であると共に当該係合溝５８内を移動可能な係合突起６６を備えている。なお、係合突起６６は、周面（周壁部）と一体に形成してもよく、もしくは、別体に形成して当該周面（周壁部）にボルト締結、接着、溶着等により固定してもよい。
【００５１】
上記の構成によれば、係合突起６６が鉛直方向上方の第１溝６０内に位置する場合と第２溝６２内に位置する場合とで、外筒部５４と内筒部５６との重なり寸法が変化することにより、水切り容器用台座２の高さが二通りに切換可能となる構成が実現できる。より詳しくは、係合突起２６が第２溝６２内に位置する場合には、外筒部５４と内筒部５６との重なり寸法が大きい状態となり、水切り容器用台座２の高さ（軸方向高さ）を低く（使用状態における鉛直方向の寸法を小さく）することができる（図１４に示す状態）。一方、係合突起２６が第１溝６０内に位置する場合には、外筒部５４と内筒部５６との重なり寸法が小さい状態となり、水切り容器用台座２の高さ（軸方向高さ）を高く（使用状態における鉛直方向の寸法を大きく）することができる（図１５に示す状態）。
【００５２】
したがって、例えば、シンク内に水切り容器用台座２を置き、その上に市販の水切り容器（不図示）を載置して水切りを行う際には、水切り容器用台座２の高さが高い状態に切換えておくことによって、シンク内に水が貯留してしまった場合であっても、水切り容器内に収容した食品がその水に浸かってしまうことの防止が可能となる。一方、使用後に水切り容器用台座２を容器棚へ収納する際には、水切り容器用台座２の高さが低い状態に切換えておくことによって、より小さな（狭い）スペースであっても、収納を行うことが可能となる。
【００５３】
ここで、本実施形態に特徴的な構成として、外筒部５４および内筒部５６はいずれも、複数の孔を有する部材もしくはメッシュ状の部材を用いて形成されている（本実施形態においては、メッシュ状として図示している）。これによれば、水切り時において、上に載置した水切り容器から水切り容器用台座２（外筒部５４および内筒部５６）の内部へ流れ込む水が、外筒部５４および内筒部５６の周壁部によって堰き止められてその内部位置に局所的に貯留されてしまうことを防止でき、水切り容器用台座２（外筒部５４および内筒部５６）の外部へ効率的に排出させることができる。
【００５４】
また、本実施形態に特徴的な構成として、係合溝５８および当該係合溝５８に対応する係合突起６６の組合せが、周方向に等間隔で複数個所設けられている。一例として、中心軸周りに所定角度の間隔で三個所設ける構成としている。これによれば、水切り時に、水切り容器に大きな重量が掛かった場合であっても、外筒部５４と内筒部５６とが相互に傾いてしまうことを防止でき、安定して支持することができる。ただし、三個所に限定されるものではなく、二個所もしくは四個所以上設ける構成としてもよい。
【００５５】
なお、水切り容器用台座２の高さの切換を行う操作方法は次の通りである。例えば、図１４に示す状態（水切り容器用台座２の高さが低い状態）から図１５に示す状態（水切り容器用台座２の高さが高い状態）に切換を行う場合には、使用者が外筒部５４および内筒部５６を把持して、係合突起２６が第２溝６２の他端部６２ｂから一端部６２ａの位置となるまで、内筒部５６を回動させる。次いで、係合突起６６が第２溝６２の一端部６２ａ（第３溝６４の下端部と一致）から第１溝６０の一端部６０ａ（第３溝６４の上端部と一致）の位置となるまで、内筒部５６を上方へ移動させる。次いで、係合突起６６が第１溝６０の一端部６０ａから他端部６０ｂの位置となるまで、内筒部５６を回動させる。一方、図１５に示す状態（水切り容器用台座２の高さが高い状態）から図１４に示す状態（水切り容器用台座２の高さが低い状態）に切換を行う場合には、上記と逆の動作を行えばよい。
【００５６】
また、図１２に示す水切り容器１の係合溝１８と同様に、本実施形態に係る係合溝５８に関しても、第１溝６０および第２溝６２において、下縁部から上縁部に向かって係合突起６６の溝内通過を許容する寸法で突出する突起状のストッパが設けられている。ただし、これに限定されるものではなく、突起状のストッパを設けない直線状の構成としてもよい。
【００５７】
以上の代表例での説明と同様に、水切り容器用台座２の他の実施形態としては、前述のその他の実施形態に係る水切り容器１の台座１２に対応する構成とすればよい。それらについては、記載の簡素化のため繰り返しの説明を省略する。
【００５８】
以上、説明した通り、本発明に係る水切り容器によれば、収容部および内筒部（もしくは外筒部）を把持して移動させるだけの極めて簡単な操作で底部に設けられた台座の高さを変えることが可能となる。したがって、例えばシンク内で水切りを行う際に、台座の高さを高くしておくことによって、シンク内に貯留した水に容器内の食品が浸かってしまうことを防止して衛生的に使用することが可能となる。また、容器棚へ収納する際に台座の高さを低くしておくことによって、省スペースで収納することが可能となる。
【００５９】
また、本発明に係る水切り容器用台座によれば、内筒部および外筒部を把持して移動させるだけの極めて簡単な操作で全体の高さ（軸方向高さ）を変えることが可能となる。したがって、水切り容器用台座をシンク内に置き、その上に市販の水切り容器を載置させて水切りを行う際に、高さを高くしておくことによって、シンク内に貯留した水に水切り容器内の食品が浸かってしまうことを防止して衛生的に使用することが可能となる。また、容器棚へ収納する際に、高さを低くしておくことによって、省スペースで収納することが可能となる。
【００６０】
なお、本発明は、以上説明した実施例に限定されることなく、本発明を逸脱しない範囲において種々変更可能である。
【００６１】
例えば、水切り容器および水切り容器用台座における変形例として、上記のように外筒部に係合溝を設けて、内筒部に係合突起を設ける構成に代えて、内筒部に係合溝を設けて、外筒部に係合突起を設ける構成とすることも可能である。
【符号の説明】
【００６２】
１  水切り容器
２  水切り容器用台座
１０  収容部
１２  台座
１４、５４  外筒部
１６、５６  内筒部
１８、５８  係合溝
２０、６０  第１溝
２２、６２  第２溝
２４、６４  第３溝
２６、６６  係合突起
２８  鍔状部
３０  凹部
３２  ストッパ
【図１】
2019000620.tif 000003
【図２】
2019000620.tif 000004
【図３】
2019000620.tif 000005
【図４】
2019000620.tif 000006
【図５】
2019000620.tif 000007
【図６】
2019000620.tif 000008
【図７】
2019000620.tif 000009
【図８】
2019000620.tif 000010
【図９】
2019000620.tif 000011
【図１０】
2019000620.tif 000012
【図１１】
2019000620.tif 000013
【図１２】
2019000620.tif 000014
【図１３】
2019000620.tif 000015
【図１４】
2019000620.tif 000016
【図１５】
2019000620.tif 000017
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
複数の孔を有する部材もしくはメッシュ状の部材を用いて形成された収容部に食品を収容して水切りを行う水切り容器において、
前記収容部の底部には、外筒部および内筒部を有する二重円筒状の台座を備え、前記外筒部および前記内筒部のいずれかが前記収容部に固定されており、
前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、
前記外筒部および前記内筒部の他方に、周面から径方向に突出して前記係合溝に係合可能で溝内を移動可能な係合突起が設けられ、
前記係合突起が鉛直方向上方の前記第１溝内に位置する場合と前記第２溝内に位置する場合とで、前記外筒部と前記内筒部との重なり寸法が変化することにより、前記台座の高さが二通りに切換可能となり、
前記外筒部および前記内筒部のうち前記収容部に固定されていない方の下端部に、径方向外方に向かって突設された鍔状部を有し、
前記鍔状部は、外縁部に使用者の指を掛ける複数の凹部が径方向内方に向かって窪むように設けられていること
を特徴とする水切り容器。
【請求項２】
前記外筒部および前記内筒部は、複数の孔を有する部材もしくはメッシュ状の部材を用いて形成されていること
を特徴とする請求項１記載の水切り容器。
【請求項３】
前記第１溝および前記第２溝はいずれも、他端部から少なくとも前記係合突起の半径寸法以上の所定距離離れた位置の一方の縁部において、他方の縁部に向かって前記係合突起の溝内通過を許容する寸法で突出する突起状のストッパを有すること
を特徴とする請求項１または請求項２記載の水切り容器。
【請求項４】
前記係合溝および対応する前記係合突起は、周方向に等間隔で複数個所設けられていること
を特徴とする請求項１〜３いずれか一項に記載の水切り容器。
【請求項５】
前記複数個所は、３個所以上であること
を特徴とする請求項４記載の水切り容器。
【請求項６】
前記係合溝は、前記第３溝が鉛直方向溝に形成されることにより、全体としてコ字状に形成されていること
を特徴とする請求項１〜５いずれか一項に記載の水切り容器。
【請求項７】
前記係合溝は、前記第３溝が鉛直方向溝もしくは鉛直方向から所定角度傾斜した傾斜方向溝に形成され、且つ、前記第１溝が前記第３溝の上端部から水平方向の所定方向に延びる溝に形成されると共に、前記第２溝が前記第３溝の下端部から水平方向の前記所定方向と逆方向に延びる溝に形成されていること
を特徴とする請求項１〜５いずれか一項に記載の水切り容器。
【請求項８】
前記所定角度は、０°以上６０°以下であること
を特徴とする請求項７記載の水切り容器。
【請求項９】
前記第１溝および前記第２溝のうち、前記内筒部が進入・進出する側の前記外筒部の開口端に近い側の一方が、遠い側の他方よりも、水平方向の長さが長く形成されていること
を特徴とする請求項１〜８いずれか一項に記載の水切り容器。
【手続補正２】
【補正対象書類名】明細書
【補正対象項目名】００１１
【補正方法】変更
【補正の内容】
【００１１】
開示の水切り容器は、複数の孔を有する部材もしくはメッシュ状の部材を用いて形成された収容部に食品を収容して水切りを行う水切り容器において、前記収容部の底部には、外筒部および内筒部を有する二重円筒状の台座を備え、前記外筒部および前記内筒部のいずれかが前記収容部に固定されており、前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、前記外筒部および前記内筒部の他方に、周面から径方向に突出して前記係合溝に係合可能で溝内を移動可能な係合突起が設けられ、前記係合突起が鉛直方向上方の前記第１溝内に位置する場合と前記第２溝内に位置する場合とで、前記外筒部と前記内筒部との重なり寸法が変化することにより、前記台座の高さが二通りに切換可能となり、前記外筒部および前記内筒部のうち前記収容部に固定されていない方の下端部に、径方向外方に向かって突設された鍔状部を有し、前記鍔状部は、外縁部に使用者の指を掛ける複数の凹部が径方向内方に向かって窪むように設けられていることを特徴とする。
【手続補正３】
【補正対象書類名】明細書
【補正対象項目名】００１２
【補正方法】変更
【補正の内容】
【００１２】
また、開示の水切り容器用台座は、シンク等の排水場所に置いて、食品の水切り容器を載置させる水切り容器用台座であって、複数の孔を有する部材もしくはメッシュ状の部材を用いて形成された二重円筒状の外筒部および内筒部を有し、前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、前記外筒部および前記内筒部の他方に、周面から径方向に突出して前記係合溝に係合可能で溝内を移動可能な係合突起が設けられ、前記係合突起が鉛直方向上方の前記第１溝内に位置する場合と前記第２溝内に位置する場合とで、前記外筒部と前記内筒部との重なり寸法が変化することにより、全体の高さが二通りに切換可能となることを特徴とする。
なお、前記第１溝および前記第２溝はいずれも、他端部から少なくとも前記係合突起の半径寸法以上の所定距離離れた位置の一方の縁部において、他方の縁部に向かって前記係合突起の溝内通過を許容する寸法で突出する突起状のストッパを有する構成が考えられる。
また、前記係合溝および対応する前記係合突起は、周方向に等間隔で複数個所設けられている構成が考えられる。
また、前記係合溝は、前記第３溝が鉛直方向溝に形成されることにより、全体としてコ字状に形成されている構成が考えられる。
また、前記係合溝は、前記第３溝が鉛直方向溝もしくは鉛直方向から所定角度傾斜した傾斜方向溝に形成され、且つ、前記第１溝が前記第３溝の上端部から水平方向の所定方向に延びる溝に形成されると共に、前記第２溝が前記第３溝の下端部から水平方向の前記所定方向と逆方向に延びる溝に形成されている構成が考えられる。
また、前記第１溝および前記第２溝のうち、前記内筒部が進入・進出する側の前記外筒部の開口端に近い側の一方が、遠い側の他方よりも、水平方向の長さが長く形成されている構成が考えられる。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
複数の孔を有する部材もしくはメッシュ状の部材を用いて形成された収容部に食品を収容して水切りを行う水切り容器において、
前記収容部の底部には、外筒部および内筒部を有する二重円筒状の台座を備え、前記外筒部および前記内筒部のいずれかが前記収容部に固定されており、
前記外筒部および前記内筒部の一方に、周面において上方および下方に設けられた水平方向溝である第１溝および第２溝と、前記第１溝の一端部と前記第２溝の一端部とを結ぶ第３溝と、が連続する溝状に形成された係合溝が設けられ、
前記外筒部および前記内筒部の他方に、周面から径方向に突出して前記係合溝に係合可能で溝内を移動可能な係合突起が設けられ、
前記係合突起が鉛直方向上方の前記第１溝内に位置する場合と前記第２溝内に位置する場合とで、前記外筒部と前記内筒部との重なり寸法が変化することにより、前記台座の高さが二通りに切換可能となり、
前記外筒部および前記内筒部のうち前記収容部に固定されていない方の下端部に、径方向外方に向かって突設された鍔状部を有し、
前記鍔状部は、外縁部に使用者の指を掛ける複数の凹部が径方向内方に向かって窪むように設けられていること
を特徴とする水切り容器。
【請求項２】
前記外筒部および前記内筒部は、複数の孔を有する部材もしくはメッシュ状の部材を用いて形成されていること
を特徴とする請求項１記載の水切り容器。
【請求項３】
前記第１溝および前記第２溝はいずれも、他端部から少なくとも前記係合突起の半径寸法以上の所定距離離れた位置の一方の縁部において、他方の縁部に向かって前記係合突起の溝内通過を許容する寸法で突出する突起状のストッパを有すること
を特徴とする請求項１または請求項２記載の水切り容器。
【請求項４】
前記係合溝および対応する前記係合突起は、周方向に等間隔で複数個所設けられていること
を特徴とする請求項１〜３いずれか一項に記載の水切り容器。
【請求項５】
前記複数個所は、３個所以上であること
を特徴とする請求項４記載の水切り容器。
【請求項６】
前記係合溝は、前記第３溝が鉛直方向溝に形成されることにより、全体としてコ字状に形成されていること
を特徴とする請求項１〜５いずれか一項に記載の水切り容器。
【請求項７】
前記係合溝は、前記第３溝が鉛直方向溝もしくは鉛直方向から所定角度傾斜した傾斜方向溝に形成され、且つ、前記第１溝が前記第３溝の上端部から水平方向の所定方向に延びる溝に形成されると共に、前記第２溝が前記第３溝の下端部から水平方向の前記所定方向と逆方向に延びる溝に形成されていること
を特徴とする請求項１〜５いずれか一項に記載の水切り容器。
【請求項８】
前記所定角度は、０°より大きく６０°以下であること
を特徴とする請求項７記載の水切り容器。
【請求項９】
前記第１溝および前記第２溝のうち、前記内筒部が進入・進出する側の前記外筒部の開口端に近い側の一方が、遠い側の他方よりも、水平方向の長さが長く形成されていること
を特徴とする請求項１〜８いずれか一項に記載の水切り容器。